(57)【特許請求の範囲】
【請求項１】
入力映像信号の種類をデータベース（１４）に予め記憶された映像信号の特徴情報に基づいて判別し、この判別情報に基づいて表示のタイミングを制御する映像表示方法であって、データベース（１４）には、垂直周波数を切れ目のない複数段階の垂直周波数帯に分類するとともに、水平ライン数を各垂直周波数帯毎に切れ目のない複数の水平ライン数帯に分類した情報、各水平ライン数帯毎の複数の同期信号極性の情報及び入力映像信号の信号源情報が映像信号の特徴情報として予め記憶され、入力映像信号の垂直周波数がデータベース（１４）内のどの段階の垂直周波数帯に属するかに基づいて入力映像信号の種類を判別する第１ステップと、第１ステップで入力映像信号の種類が複数あると判別されたときに、入力映像信号の水平ライン数がデータベース（１４）内のどの段階の水平ライン数帯に属するかに基づいて入力映像信号の種類を判別する第２ステップと、第２ステップで入力映像信号の種類が複数あると判別されたときに、入力映像信号の同期信号（ＨＤ，ＶＤ）の極性がデータベース（１４）内のどの同期信号極性に属するかに基づいて入力映像信号の種類を判別する第３ステップと、第３ステップで該当ありと判別されたときには、第３ステップの判別情報と入力映像信号の信号源情報とに基づいて入力映像信号の種類を判別し、第３ステップで該当なしと判別されたときには、第２ステップの判別情報と入力映像信号の信号源情報とに基づいて入力映像信号の種類を判別する第４ステップとを具備することを特徴とする映像表示方法。
【請求項２】
入力映像信号の垂直周波数、水平周波数、及び、同期信号（ＨＤ，ＶＤ）の極性を検出する検出手段（１０，１２）と、検出された垂直周波数、水平周波数から水平ライン数を算出する算出手段と、垂直周波数を切れ目のない複数段階の垂直周波数帯に分類するとともに、水平ライン数を各垂直周波数帯毎に切れ目のない複数段階の水平ライン数帯に分類した情報、各水平ライン数帯毎の複数の同期信号極性の情報及び入力映像信号の信号源情報を映像信号の種類を判別するための特徴情報として予め記憶したデータベース（１４）と、検出手段（１０，１２）で検出された垂直周波数がデータベース（１４）内のいずれの垂直周波数帯に属するかに基づいて入力映像信号の種類を判別する第１判別手段と、前記第１判別手段で入力映像信号の種類が複数あると判別されたときに、前記算出手段で算出された水平ライン数がデータベース（１４）内のいずれの水平ライン数帯に属するかに基づいて入力映像信号の種類を判別する第２判別手段と、検出手段（１０，１２）で検出された入力映像信号の同期信号（ＨＤ，ＶＤ）の極性が、データベース（１４）内の複数の同期信号極性のいずれに属するかに基づいて入力映像信号の種類の判別する第３判別手段と、第３判別手段で該当ありと判別されたときには第３判別手段の判別情報と入力映像信号の信号源情報とに基づいて入力映像信号の種類を判別し、第３判別手段で該当なしと判別されたときには第２判別手段の判別と入力映像信号の信号源とに基づいて入力映像信号の種類を判別する第４判別手段とを具備し、第１、第２、第３又は第４判別手段の判別情報に基づいて表示のタイミングを制御することを特徴とする映像表示装置。
【発明の詳細な説明】
【０００１】
【発明の属する技術分野】
本発明は、入力映像信号の種類をデータベースに予め記憶された映像信号の特徴情報に基づいて判別し、この判別情報に基づいて表示のタイミングを制御する映像表示方法及びその装置に関するものである。
【０００２】
【従来の技術】
従来は、入力映像信号の水平周波数（＝水平同期周波数）、水平ライン数（＝１垂直周期の走査線数）、同期信号（水平同期信号ＨＤと垂直同期信号ＶＤ）の極性を求め、この水平周波数、水平ライン数、同期信号（ＨＤ，ＶＤ）の極性が、予めデータベースに登録されている信号種判別表中のいずれの信号種の水平周波数、水平ライン数、同期信号極性と一致するか否かを判別し、一致しているときには対応する表示のタイミングで入力映像信号を制御して表示処理を行い、一致していないときには予め設定された表示のタイミングで入力映像信号を制御して表示処理を行っていた。
【０００３】
【発明が解決しようとする課題】
しかしながら、前述の従来例では、水平周波数、水平ライン数及び同期信号（ＨＤ，ＶＤ）の極性の全部が、データベース中の信号種判別表中の水平周波数、水平ライン数及び同期信号極性と一致するか否かを同時に判別するようにしていたので、判別に要する時間が長くなるという問題点があった。
また、通常データベース中の信号種判別表は標準規格に沿って作られ、水平周波数や水平ライン数に数パーセントのマージンを持たせているが、そこから外れた映像信号が入力した場合、予め設定された表示のタイミングで表示されるので、入力映像信号がパソコン（パーソナルコンピュータ）のＸＧＡ（１０２４×７６８ドット表示）対応で、設定された表示のタイミングがＶＧＡ（６４０×４８０ドット表示）対応であるような場合、表示映像が垂直方向に大きく欠けてしまうという問題点があった。
【０００４】
本発明は、上述の問題点に鑑みなされたもので、入力映像信号の種類を短時間で正確に判別することのできる映像表示方法及びその装置を提供することを目的する。
また、データベースに予め記憶された映像信号の特徴情報に該当しない映像信号が入力した場合に、映像の大幅な欠落を防止できる映像表示方法及びその装置を提供することを目的とする。
【０００５】
【課題を解決するための手段】
請求項１に記載の発明は、入力映像信号の種類をデータベース（１４）に予め記憶された映像信号の特徴情報に基づいて判別し、この判別情報に基づいて表示のタイミングを制御する映像表示方法であって、データベース（１４）には、垂直周波数を切れ目のない複数段階の垂直周波数帯に分類するとともに、水平ライン数を各垂直周波数帯毎に切れ目のない複数の水平ライン数帯に分類した情報、各水平ライン数帯毎の複数の同期信号極性の情報及び入力映像信号の信号源情報が映像信号の特徴情報として予め記憶され、入力映像信号の垂直周波数がデータベース（１４）内のどの段階の垂直周波数帯に属するかに基づいて入力映像信号の種類を判別する第１ステップと、第１ステップで入力映像信号の種類が複数あると判別されたときに、入力映像信号の水平ライン数がデータベース（１４）内のどの段階の水平ライン数帯に属するかに基づいて入力映像信号の種類を判別する第２ステップと、第２ステップで入力映像信号の種類が複数あると判別されたときに、入力映像信号の同期信号（ＨＤ，ＶＤ）の極性がデータベース（１４）内のどの同期信号極性に属するかに基づいて入力映像信号の種類を判別する第３ステップと、第３ステップで該当ありと判別されたときには、第３ステップの判別情報と入力映像信号の信号源情報とに基づいて入力映像信号の種類を判別し、第３ステップで該当なしと判別されたときには、第２ステップの判別情報と入力映像信号の信号源情報とに基づいて入力映像信号の種類を判別する第４ステップとを具備することを特徴とする映像表示方法である。
【０００６】
このような構成において、まず第１ステップで、入力映像信号の垂直周波数がデータベース（１４）内の複数段階の垂直周波数帯のいずれに属するかに基づいて入力映像信号の種類を判別する。ついで第２ステップで、入力映像信号の水平ライン数がデータベース（１４）内の複数段階の水平ライン数帯のいずれに属するかに基づいて入力映像信号の種類を判別する。第１ステップの判別対象を種類の少ない垂直周波数とするとともに、第１、第２ステップによる判別対象の垂直周波数帯及び水平ライン数帯を切れ目のない複数段階に分類したので、短時間で正確に入力映像信号の種類を判別することができる。
【０００７】
これに加えて、より正確に入力映像信号の種類を判別できるようにするために、データベース（１４）には、各水平ライン数帯毎に複数の同期信号極性の情報が映像信号の特徴情報として予め記憶され、第２ステップで入力映像信号の種類が複数あると判別されたときに、入力映像信号の同期信号（ＨＤ，ＶＤ）の極性がデータベース（１４）内のどの同期信号極性に属するかに基づいて入力映像信号の種類を判別する第３ステップを具備する。
【０００８】
さらに、データベース（１４）内に該当する同期信号極性の情報が存在しないとき映像の大幅な欠落が生じるのを防止するために、第３ステップで該当ありと判別されたときには、第３ステップの判別情報と入力映像信号の信号源情報とに基づいて入力映像信号の種類を判別し、第３ステップで該当なしと判別されたときには、第２ステップの判別情報と入力映像信号の信号源情報とに基づいて入力映像信号の種類を判別する第４ステップとを具備する。
【０００９】
請求項２に記載の発明は、入力映像信号の垂直周波数、水平周波数、及び、同期信号（ＨＤ，ＶＤ）の極性を検出する検出手段（１０，１２）と、検出された垂直周波数、水平周波数から水平ライン数を算出する算出手段と、垂直周波数を切れ目のない複数段階の垂直周波数帯に分類するとともに、水平ライン数を各垂直周波数帯毎に切れ目のない複数段階の水平ライン数帯に分類した情報、各水平ライン数帯毎の複数の同期信号極性の情報及び入力映像信号の信号源情報を映像信号の種類を判別するための特徴情報として予め記憶したデータベース（１４）と、検出手段（１０，１２）で検出された垂直周波数がデータベース（１４）内のいずれの垂直周波数帯に属するかに基づいて入力映像信号の種類を判別する第１判別手段と、前記第１判別手段で入力映像信号の種類が複数あると判別されたときに、前記算出手段で算出された水平ライン数がデータベース（１４）内のいずれの水平ライン数帯に属するかに基づいて入力映像信号の種類を判別する第２判別手段と、検出手段（１０，１２）で検出された入力映像信号の同期信号（ＨＤ，ＶＤ）の極性が、データベース（１４）内の複数の同期信号極性のいずれに属するかに基づいて入力映像信号の種類の判別する第３判別手段と、第３判別手段で該当ありと判別されたときには第３判別手段の判別情報と入力映像信号の信号源情報とに基づいて入力映像信号の種類を判別し、第３判別手段で該当なしと判別されたときには第２判別手段の判別と入力映像信号の信号源とに基づいて入力映像信号の種類を判別する第４判別手段とを具備し、第１、第２、第３又は第４判別手段の判別情報に基づいて表示のタイミングを制御することを特徴とする映像表示装置である。
【００１０】
このような構成において、第１判別手段は、検出手段（１０，１２）で検出された垂直周波数がデータベース（１４）内の複数段階の垂直周波数帯のいずれに属するかに基づいて入力映像信号の種類を判別し、第２判別手段は、算出手段で算出された水平ライン数がデータベース（１４）内の複数段階の水平ライン数帯のいずれに属するかに基づいて入力映像信号の種類を判別する。データベース（１４）内の第１判別手段による判別対象を種類の少ない垂直周波数とするとともに、データベース（１４）内の第１，第２判別手段による判別対象の垂直周波数帯及び水平ライン数帯を切れ目のない複数段階に分類しているので、短時間で正確に入力映像信号の種類を判別することができる。
【００１１】
これに加えて、より正確に入力映像信号の種類を判別できるようにするために、データベース（１４）には、各水平ライン数帯毎に複数の同期信号極性の情報が映像信号の特徴情報として予め記憶され、検出手段（１０，１２）で検出された入力映像信号の同期信号（ＨＤ，ＶＤ）の極性が、データベース（１４）内の複数の同期信号極性のいずれに属するかに基づいて入力映像信号の種類の判別する第３判別手段を具備し、第１、第２又は第３判別手段の判別情報に基づいて表示のタイミングを制御する構成とする。
【００１２】
さらに、データベース（１４）内に該当する同期信号極性の情報が存在しないとき映像の大幅な欠落が生じるのを防止するために、第３判別手段で該当ありと判別されたときには第３判別手段の判別情報と入力映像信号の信号源情報とに基づいて入力映像信号の種類を判別し、第３判別手段で該当なしと判別されたときには第２判別手段の判別と入力映像信号の信号源とに基づいて入力映像信号の種類を判別する第４判別手段とを具備し、第１、第２、第３又は第４判別手段の判別情報に基づいて表示のタイミングを制御する構成とする。
【００１３】
【発明の実施の形態】
以下、本発明の一実施形態例を図１〜図４を用いて説明する。
図１は本発明による映像表示方法を実施する装置の一実施形態例を示すものである。
【００１４】
図１において、１０は水平周波数・極性検出回路、１２は垂直周波数・極性検出回路、１４はデータベース、１６はＲＯＭ（リードオンリメモリ）、１８はＣＰＵ（中央処理装置）、２０は映像信号処理回路、２２はＰＤＰ（プラズマディスプレイパネル）である。
【００１５】
水平周波数・極性検出回路１０は、水平同期信号ＨＤに基づいて入力映像信号の水平周波数（水平同期周波数）と水平同期信号ＨＤの極性を検出する。
垂直周波数・極性検出回路１２は、垂直同期信号ＶＤに基づいて入力映像信号の垂直周波数（垂直同期周波数）と垂直同期信号ＶＤの極性を検出する。
【００１６】
データベース１４には、図２及び図３に示す信号種判別表に対応したデータ（映像信号の特徴情報）が予め記憶されている。この信号種判別表は、入力映像信号の種類を判別するための垂直周波数、水平ライン数、同期極性及び信号源の種類を示す。
垂直周波数は切れ目のない７段階の垂直周波数帯に分類され、水平ライン数は各垂直周波数帯毎に２〜１１段階の水平ライン数帯に分類されている。同期極性は「Ｈ＝＋、Ｖ＝＋」、「Ｈ＝−、Ｖ＝−」、「Ｈ＝＋、Ｖ＝−」の３つの組合わせに分類されている。信号源の種類はアナログＲＧＢ入力、ディジタルＲＧＢ入力、コンポーネントビデオ入力の３つに分類され、優先順位が付けられている。
【００１７】
図２及び図３において、垂直周波数帯（例えば８０〜９０Ｈｚ）中のかっこ内の数値（例えば（８５Ｈｚ））はその垂直周波数帯の基準値を示し、水平ライン数帯（例えば７２０〜８９０）中のかっこ内の数値（例えば（８０８））は、その水平ライン数帯の基準値を示す。
また、同期極性のＨは水平同期信号を示し、Ｖは垂直同期信号を示す（例えばＨ＝＋は水平同期信号の極性が＋であることを示す）。
【００１８】
ＣＰＵ１８は、ＲＯＭ１６に格納されたプログラムで実現される、次の（ａ）〜（ｇ）に示す機能を具備している。
（ａ）  水平周波数・極性検出回路１０で検出された水平周波数と、垂直周波数・極性検出回路１２で検出された垂直周波数とに基づいて、水平ライン数（１垂直周期の走査線数）を算出する機能。
（ｂ）  垂直周波数・極性検出回路１２で検出された垂直周波数がデータベース（１４）内のいずれの垂直周波数帯に属するかに基づいて入力映像信号の種類を判別する第１判別機能。
（ｃ）  前記（ｂ）の機能で入力映像信号の種類が複数あると判別されたときに、前記（ａ）の機能で算出された水平ライン数がデータベース１４内のいずれの水平ライン数帯に属するかに基づいて入力映像信号の種類を判別する第２判別機能。
（ｄ）  前記（ｃ）の機能で入力映像信号の種類が複数あると判別されたときに、水平周波数・極性検出回路１０、垂直周波数・極性検出回路１２で検出された水平同期信号ＨＤ、垂直同期信号ＶＤの極性が、データベース１４内の複数の同期信号極性のいずれに属するかに基づいて入力映像信号の種類を判別する第３判別機能。
（ｅ）  前記（ｄ）の機能で該当すると判断されたときには、前記（ｄ）の機能による判別情報と入力映像信号の信号源情報とに基づいて入力映像信号の種類を判別し、前記（ｅ）の機能で該当しないと判断されたときには、前記（ｃ）の機能による判別情報と入力映像信号の信号源情報とに基づいて入力映像信号の種類を判別する第４判別機能。
（ｆ）  前記（ｂ）、（ｃ）、（ｄ）又は（ｅ）の機能による判別情報に基づいて表示のタイミングを制御する信号を出力する制御信号出力機能。
【００１９】
映像信号処理回路２０は、入力する水平同期信号ＨＤ、垂直同期信号ＶＤと、ＣＰＵ１８から入力する制御信号とに基づいて入力映像信号を処理し、ＰＤＰ２２での表示のタイミングを制御する。例えば、水平同期信号ＨＤ、垂直同期信号ＶＤ及びＣＰＵ１８から制御信号に基づいて、ＰＤＰ２２における有効映像開始位置を制御したり、ＰＤＰ２２の画素数に合わせるための映像拡大又は映像縮小の処理をする。
【００２０】
つぎに、前記実施形態例の作用を図４を併用して説明する。
（１）  垂直周波数・極性検出回路１２で検出された入力映像信号の垂直周波数が、データベース１４内のどの段階の垂直周波数帯に属するかに基づいて入力映像信号の種類が判別される（第１ステップ）。この判別はＣＰＵ１８の第１判別機能によって実現される。
【００２１】
（２）  水平周波数・極性検出回路１０で検出された入力映像信号の水平周波数と、垂直周波数・極性検出回路１２で検出された垂直周波数とに基づいて入力映像信号の水平ライン数が算出される（ＣＰＵ１８の算出機能による）。
【００２２】
（３）  前記（１）で入力映像信号の種類が複数あると判別されるときは、前記（２）で算出された水平ライン数がデータベース１４内のいずれの水平ライン数帯に属するかに基づいて入力映像信号の種類が判別される（第２ステップ）。
例えば、検出された垂直周波数が「８５Ｈｚ」、算出された水平ライン数が「８０８」のときには、垂直周波数帯「８０〜９０Ｈｚ」，水平ライン数帯「７２０〜８９０（８０８）」に属するので、図２の第１段目の垂直周波数帯の欄に示すように、入力映像信号が「ＶＥＳＡ  １０２４×７６８  ８５Ｈｚ」と判別される。この判別はＣＰＵ１８の第２判別機能によって実現される。
【００２３】
（４）  前記（３）で入力映像信号の種類が複数あると判別されたときは、水平周波数・極性検出回路１０、垂直周波数・極性検出回路１２で検出された水平同期信号ＨＤ、垂直同期信号ＶＤの極性が、データベース１４内のいずれの同期信号極性に属するかに基づいて入力映像信号の種類が判別される（第３ステップ）。この判別は、ＣＰＵ１８の第３判別機能によって実現される。
【００２５】
（５）  つぎに、前記（４）において、検出された水平同期信号ＨＤ、垂直同期信号ＶＤの極性に該当する同期信号極性はデータベース１４内にあるが、該当する入力映像信号の種類が複数あると判別された場合の作用を、図４を併用して説明する。
例えば、検出された垂直周波数が「７５Ｈｚ」、算出された水平ライン数が「１０６６」、検出された同期信号（ＨＤ，ＶＤ）の極性が「＋、＋」のときのように、データベース１４内の垂直周波数帯「７３、５〜８０Ｈｚ」、水平ライン数帯「９８３〜１１７３（１０６６）」、同期信号極性「＋、＋」に属すると判断された場合について説明する。
【００２６】
（５−１）  垂直周波数・極性検出回路１２で入力映像信号の垂直周波数が検出されて「該当周波数ありか？」がＹＥＳとなり、ＣＰＵ１８の算出機能で入力映像信号の水平ライン数が算出されて「該当ライン数ありか？」がＹＥＳとなり、水平周波数・極性検出回路１０、垂直周波数・極性検出回路１２で入力映像信号の水平同期信号ＨＤ、垂直同期信号ＶＤの極性が検出されて「該当極性ありか？」がＹＥＳとなり、「入力による処理１」が以下のように実行される。
【００２７】
（５−２）  前記（５−１）で「該当極性ありか？」がＹＥＳになると、前記（４）の第３ステップによる判別情報と入力映像信号の信号源情報とに基づいて入力映像信号の種類が判別される（ステップ４）。この入力映像信号の信号源は、入力選択信号に基づいてＣＰＵ１８で判断される。
例えば、ＣＰＵ１８によって入力映像信号の信号源がアナログＲＧＢ系であると判断されたときには、「該当信号種ありか？」がＹＥＳとなり、図２の上から２段目の垂直周波数帯の欄に示すように、入力映像信号が「アナログＲＧＢ入力」側の「ＳＸＧＡ  １２８０×１０２４  ７５Ｈｚ」と判別される。この判別はＣＰＵ１８の第４判別機能によって実現される。
【００２８】
（５−３）  ついで、「該当信号種に合った表示設定処理」が実行される。
例えばＣＰＵ１８からアナログＲＧＢ系の「ＳＸＧＡ  １２８０×１０２４  ７５Ｈｚ」の信号種をＰＤＰ２２で表示するための制御信号が映像信号処理回路２０へ出力し、映像信号処理回路２０において所定の信号処理が実行される。
【００２９】
（６）  つぎに、前記（４）において、検出された水平同期信号ＨＤ、垂直同期信号ＶＤの極性に該当する同期信号極性がデータベース１４内にないと判別された場合の作用について説明する。例えば、検出された垂直周波数が「７０Ｈｚ」、算出された水平ライン数が「４４９」、検出された同期信号（ＨＤ，ＶＤ）の極性「＋、＋」又は「−、＋」ときのように、データベース１４内の垂直周波数帯「６８〜７１Ｈｚ」、水平ライン数帯「４０４〜６２８（４４９）」に属するが、データベース１４内に該当する同期信号極性がないと判断された場合について図４を併用して説明する。
【００３０】
（６−１）  垂直周波数・極性検出回路１２で入力映像信号の垂直周波数が検出されて「該当周波数ありか？」がＹＥＳとなり、ＣＰＵ１８の算出機能で入力映像信号の水平ライン数が算出されて「該当ライン数ありか？」がＹＥＳとなり、水平周波数・極性検出回路１０、垂直周波数・極性検出回路１２で入力映像信号の水平同期信号ＨＤ、垂直同期信号ＶＤの極性が検出されて「該当極性ありか？」がＮＯとなり、「入力による処理２」が以下のように実行される。
【００３１】
（６−２）  前記（６−１）で「該当極性ありか？」がＮＯになると、前記（３）の第２ステップによる判別情報と入力映像信号の信号源情報とに基づいて入力映像信号の種類が判別される。（ステップ４）。この入力映像信号の信号源は、入力選択信号に基づいてＣＰＵ１８で判断される。
例えば、ＣＰＵ１８によって入力映像信号の信号源がディジタルＲＧＢ系であると判断されたときには、図２の上から４段目の垂直周波数帯の欄に示すように、データベース１４内の「ディジタルＲＧＢ入力」側の「ＩＢＭ  ７２０×４００  ７０Ｈｚ」と［ＰＣ９８  ６４０×４００  ７０Ｈｚ］のうち、優先順位の高い「ＩＢＭ  ７２０×４００  ７０Ｈｚ」が入力映像信号の種類と判別される。この判別は、ＣＰＵ１８の第４判別機能によって実現される。
【００３２】
（６−３）  ついで、前記（５−３）に記載したのと同様の、「該当信号種に合った表示設定処理」が実行される。
【００３３】
前記実施形態例では、垂直周波数、水平ライン数及び／又は同期信号（ＨＤ，ＶＤ）の極性が全く同じで識別が困難な場合に、入力選択信号を利用して信号源で判別するようにしたが、本発明はこれに限るものでない。
例えば、入力映像信号が「ＳＴＢ（セットトップボックス）の５２５Ｐ」と「パソコンのＶＧＡ、６０Ｈｚ」の場合のように同じＲＧＢ信号の場合には、信号源情報では判別できない。このような場合に対処するために、直前のモードがパソコン系であった場合には「パソコンのＶＧＡ、６０Ｈｚ」と判別し、直前のモードがビデオ系で合った場合には「ＳＴＢの５２５Ｐ」と判別するように構成した場合にも利用できる。
【００３４】
前記実施形態例では、ＶＴＲ（ビデオテープレコーダー）の特殊再生（サーチなど）信号をアップコンバートした場合の垂直同期信号ＶＤ（例えば周波数の基準値６０Ｈｚ）の変動について考慮しなかったが、この変動範囲（例えば５６〜６３Ｈｚ）を考慮すると、その範囲の中にパソコンのタイミングが含まれてしまうことがある。
このような場合に対処するために、データベース１４に記憶する水平ライン数帯について、パソコンのタイミングのみを除外してデータテーブルを構築して判別精度を向上させるように構成した場合ついても利用できる。
例えば、垂直周波数帯「５８〜６８Ｈｚ（６０Ｈｚ）」の水平ライン数帯「５０８〜５４４（５２５）」を、水平ライン数帯を「５２０」を中心とした所定幅の第１の範囲と、「５３０」を中心とした所定幅の第２の範囲と、残りの第３の範囲（「５２５」を中心とした範囲と第１、第２の範囲の外側の範囲）とに分類し、入力映像信号から検出した水平ライン数が第１の範囲に属するときには、水平ライン数が「５２０」のパソコン系の信号源と判別し、第２の範囲に属するときには、水平ライン数が「５３０」のパソコン系の信号源と判別し、第３の範囲に属するときには、水平ライン数が「５２５」のＶＴＲ特殊再生系の信号源と判別するように構成した場合にも利用できる。周波数の基準値が５６Ｈｚの垂直同期信号ＶＤの場合についても同様である。
【００３５】
【発明の効果】
請求項１に記載の発明は、データベース（１４）に予め記憶された映像信号の特徴情報に基づいて入力映像信号の種類を判別するときに、まず第１ステップで入力映像信号の垂直周波数がデータベース（１４）内の複数段階の垂直周波数帯のいずれに属するかに基づいて判別し、ついで、第２ステップで入力映像信号の水平ライン数がデータベース（１４）内の複数段階の水平ライン数帯のいずれに属するかに基づいて判別し、第１ステップの判別対象を種類の少ない垂直周波数とするとともに、第１、第２ステップの判別対象である垂直周波数帯及び水平ライン数帯を切れ目のない複数段階に分類する構成としたので、短時間で正確に入力映像信号の種類を判別することができ適切な映像表示ができる。
【００３６】
これに加えて、データベース（１４）には、各水平ライン数帯毎に複数の同期信号極性の情報が映像信号の特徴情報として予め記憶され、第２ステップで入力映像信号の種類が複数あると判別されたときに、入力映像信号の同期信号（ＨＤ，ＶＤ）の極性がデータベース（１４）内のどの同期信号極性に属するかに基づいて入力映像信号の種類を判別する第３ステップを具備し、入力映像信号の同期信号（ＨＤ，ＶＤ）の極性によっても入力映像信号の種類を判別できるように構成したので、より正確に入力映像信号の種類を判別できる。
【００３７】
さらに、入力映像信号の同期信号（ＨＤ，ＶＤ）の極性がデータベース（１４）内のいずれかの同期信号極性に該当するか否かによって判別する第３ステップの判別結果に応じて、第３ステップで該当すると判別されたときには、第３ステップの判別情報と入力映像信号の信号源情報とに基づいて入力映像信号の種類を判別し、第３ステップで該当しないと判別されたときには、第２ステップの判別情報と入力映像信号の信号源情報とに基づいて入力映像信号の種類を判別する第４ステップを具備する構成としたので、データベース（１４）内に該当する同期信号極性の情報が存在しないとき、映像の大幅な欠落が生じるのを防止することができる。
【００３８】
請求項２に記載の発明は、検出手段（１０，１２）、算出手段、データベース（１４）、第１判別手段及び第２判別手段を具備し、データベース（１４）内の第１判別手段による判別対象を種類の少ない垂直周波数とするとともに、データベース（１４）内の第１、第２判別手段による判別対象の垂直周波数帯及び水平ライン数帯を切れ目のない複数段階に分類する構成としたので、短時間で正確に入力映像信号の種類を判別することができ、より適切な映像表示ができる。
【００３９】
これに加えて、検出手段（１０，１２）で検出された入力映像信号の同期信号（ＨＤ，ＶＤ）の極性が、データベース（１４）内の複数の同期信号極性のいずれに属するかに基づいて入力映像信号の種類の判別する第３判別手段を具備し、入力映像信号の同期信号（ＨＤ，ＶＤ）の極性によっても入力映像信号の種類の判別できるように構成したので、より正確に入力映像信号の種類を判別することができる。
【００４０】
さらに、入力映像信号の同期信号（ＨＤ，ＶＤ）の極性がデータベース（１４）内のいずれの同期信号極性に該当するか否かによって判別する第３判別手段の判別結果に応じて、第３判別手段で該当すると判別されたときには、第３判別手段の判別情報と入力映像信号の信号源情報とに基づいて入力映像信号の種類を判別し、第３判別手段で該当しないと判別されたときには、第２判別手段の判別情報と入力映像信号の信号源情報とに基づいて入力映像信号の種類を判別する第４判別手段を具備して構成としたので、データベース（１４）内に該当する同期信号極性の情報が存在しないとき、映像の大幅な欠落が生じるのを防止することができる。
【図面の簡単な説明】
【図１】本発明による映像表示方法及びその装置の一実施形態例を示すブロック図である。
【図２】図１のデータベース１４内に予め記憶されたデータ内容の一部を示す、信号種判別表の模式図ある。
【図３】図１のデータベース１４内に予め記憶されたデータ内容の一部を示す、信号種判別表の模式図である。
【図４】信号種判別動作を説明するフローチャートである。
【符号の説明】
１０…水平周波数・極性検出回路、  １２…垂直周波数・極性検出回路、  １４…データベース、  １６…ＲＯＭ、  １８…ＣＰＵ、  ２０…映像信号処理回路、  ２２…ＰＤＰ。
【図１】
0003835302.tif 000002
【図２】
0003835302.tif 000003
【図３】
0003835302.tif 000004
【図４】
0003835302.tif 000005